(57)【要約】【課題】  コテを当てて床材を引いたときに真っすぐに均し（引き出し）易くするとともに、床材を引いたときに出る骨材（砂落ち）の対策を施す。【解決手段】  コテ当て機能付き養生シートは、壁面に固定するための載置部１０と、壁面を被覆するためのシート部２０から構成され、前記載置部１０の上面（コテ当て面）１０ａはコテＫを載せることができる所定幅Ｈを有する。また、略Ｖ字状の骨材粉（砂）を落とす砂落し溝１５が形成されている。【選択図】  図６
2020133282.tif 000002
【特許請求の範囲】
【請求項１】
壁面に固定するための載置部と、壁面を被覆するためのシート部を備え、前記載置部の上面はコテを載せることができる所定幅を有することを特徴とするコテ当て機能付き養生シート。
【請求項２】
前記載置部が多孔質のスポンジ、多孔質のウレタンフォーム、多孔質の合成樹脂、又は、多孔質のゴムであることを特徴とする請求項１記載のコテ当て機能付き養生シート。
【請求項３】
前記載置部は、その幅方向に伸縮性を有するスポンジ、ウレタンフォーム、合成樹脂、又は、ゴムであり、側方から圧縮すると前記シート部の厚さとほぼ同じは幅になることを特徴とする請求項１記載のコテ当て機能付き養生シート。
【請求項４】
前記コテを載せることができる前記載置部の上面の幅は、１．０〜５．０ｍｍであることを特徴とする請求項１記載のコテ当て機能付き養生シート。
【請求項５】
前記コテを載せることができる前記載置部の上面には、コテがコンクリートやモルタル等の床材を均したときに出る骨材粉を落とす砂落し溝が所定間隔で形成されていることを特徴とする請求項１から４のいずれか一項記載のコテ当て機能付き養生シート。
【発明の詳細な説明】
【技術分野】
【０００１】
本発明は、コンクリートやモルタル等の床材により床面を仕上げる際に用いるコテ当て機能付き養生シートに関する。
【背景技術】
【０００２】
建築工事において床面を形成する場合、床の土台にコンクリートやモルタル等の床材を流し込み、作業者がコテ等の均し用の道具を使用して床面の天面を均して乾燥させる。床面を形成する工程において、床材を流し込む際や作業者が天面を均す際に壁面の特に床面の天面周辺が床材で汚れやすいため、壁面を養生シートで被覆して作業を行う。
従来、このような建築工事の養生シートとして、フィルム等のシートと粘着テープを組み合わせた粘着テープ付き養生シートが使用されている。
【０００３】
特許文献１は、マスカーに関するもので、不織布と目止め層とからなる粘着テープ基材１の目止め層と反対側の面に粘着剤層２が設けられ、粘着テープ５が形成されており、該粘着テープ５の粘着剤層２の側縁にシート３の一端部が貼り合わせられてマスカーが形成された発明が開示されている（その段落００１４、図１）。
特許文献２は、マスキングテープ部材に関するもので、裏面に第１の接着層を有する第１のテープと、裏面に第２の接着層を有する第２のテープとを備え、前記第１のテープの表面の上端縁側に、前記第２のテープの裏面の下端縁側が重ねて接着されており、前記第１のテープと前記第２のテープは重ねられた状態でロール状に巻かれているマスキングテープ部材が開示されている（請求項１、図１、その段落００１６−００２０）。
【先行技術文献】
【特許文献】
【０００４】
【特許文献１】特開平０７−０３１９０８号公報
【特許文献２】実用新案登録第３１６８０９８号公報
【発明の開示】
【発明が解決しようとする課題】
【０００５】
床面を形成する場合、まず建築現場の作業者は墨出し工程を行い、壁面の仕上げ面（床面の天面）を示す線（基準線）をレーザーや墨つけマーカー等で壁面にしるし（目印）を付ける作業を行う。そして、粘着テープ付き養生シートの粘着テープ部分を基準線に合わせて壁面に接着し、シートを壁面に被せて壁面の基準線から上方を覆う。その後、基準線をもとに床材を流し込んで床面を乾燥させ、最後に粘着テープ付き養生シートを取り外す。
【０００６】
しかしながら、上記基準線の位置に沿ってコテの先端を合わせるようにすると、熟練者であっても、コテ先端を上記基準線に沿って真っすぐに直線を引き出すように作業（コテを水平に引く動作をする作業）は難しかった。その原因としては、モルタル等の骨材には砂などが含まれているが、この砂が上記コテ引き動作の際に出ることも挙げられる。
また、上記上記基準線の位置に沿ってコテの先端を合わせるようにすると、フィルム状のシートを損傷させる事態も見受けられる（フィルム状のシートを破って通過させることもある）。このため、フィルム状よりも少し厚みのあるシート状にすると、巻き回した状態にすることが難しくなる。
【０００７】
そこで本発明の目的は、コテを当てて床材を引いたときに真っすぐに均し（引き出し）し易くするとともに、床材を引いたときに出る骨材（砂落ち）の対策を施したコテ当て機能付き養生シートを提供することである。
【課題を解決するための手段】
【０００８】
本発明は、上記課題を解決するために、壁面に固定するための載置部と、壁面を被覆するためのシート部を備え、前記載置部の上面はコテを載せることができる所定幅を有することを特徴とする。
本発明によれば、墨出し線等の基準線に沿って、所定幅を有する載置部を貼り合わせてから、前記載置部の所定幅の上面（コテ当て面）にコテの先端を載せる。このコテを載せた状態で載置部の上面に沿って均すと（引き出せば）、前記載置部の所定幅（上面）にコテ先を載せてコンクリートやモルタル等の床材をコテにより真っすぐに均す（引く）ことができるので、墨出し線等の基準線（目印）に沿って綺麗に仕上げることができる。この場合、コテ先をシート部に対して強く当てる必要がなく、シート部を傷つけるようなこともない。
【０００９】
本発明としては、前記載置部が多孔質のスポンジ、多孔質のウレタンフォーム、多孔質の合成樹脂、又は、多孔質のゴムであることを特徴とする。
本発明によれば、コンクリートやモルタル等の床材をコテを使って均す（引く出す）ときに、コテが床材を引いたとき出る骨材（砂）が多孔質の複数の穴に落とされるので（モルタル等の床材から出る骨材（砂等）を多数の穴が吸収するので）、前記粘着部材の所定幅（上面）に沿って真っすぐに引く作業が容易になり、綺麗に仕上げることができる。
【００１０】
本発明としては、前記載置部は、その幅方向に伸縮性を有するスポンジ、ウレタンフォーム、合成樹脂、又は、ゴムであり、側方から圧縮すると前記シート部の厚さとほぼ同じは幅になることを特徴とする。
本発明によれば、本発明のコテ当て機能付き養生シートを巻きまわした状態にしたときには、薄く巻くことができ、所定長さに引き出して使用するときには、膨らんで厚くなる。
【００１１】
本発明としては、前記コテを載せるための幅着固定部には、コテがコンクリートやモルタル等の床材を引いたときの砂を落とすための溝が所定間隔で形成されていることを特徴とする形成されていることを特徴とする。
本発明によれば、コンクリートやモルタル等の床材をコテを使って均すときに、コテがコンクリートやモルタル等の床材を引いたときの砂を落とすことができるので、前記載置部の所定幅（上面）に沿って真っすぐに引く作業が容易になり、その結果、前記目印（墨出し線）に沿って綺麗に仕上げることができる。また、前記砂落し溝を利用して、本発明のコテ当て機能付き養生シートを巻きまわした状態にすることが容易になる。
【００１２】
本発明としては、前記載置部のコテを載せるための幅は、１．０〜５．０ｍｍであることを特徴とする。前記載置部の所定幅が短い（薄い）とすると、コテの先端部を載せることができず、他方、長い（厚い）とすると、テープを巻いた状態に製造・販売するときに支障が生じることや、前記目印（墨出し線）に沿って貼り付けることが容易に行えなくなる。この場合でも、前記載置部がその幅方向に伸縮性を有するスポンジ、ウレタンフォーム、合成樹脂、又は、ゴムであり、側方から圧縮すると前記シート部の厚さとほぼ同じは幅になる材質のものを使用することにより、巻き回しての使用が可能になる。
【００１３】
ここで、シート部は、０．１〜０．５ｍｍの所定の厚さのものを使用することが好ましい。前記載置部の所定幅に対応して、シート部が薄いフィルム状であると、折れ曲がりやすくなり、取り扱いが難しくなることと、コテが当たっても損傷しないようにするためである。
【発明の効果】
【００１４】
本発明によれば、コテを載せた状態で載置部の上面に沿って均すと、前記載置部の所定幅（上面）にコテ先を載せてコンクリートやモルタル等の床材をコテを使って真っすぐに均す（引く）ことができるので、墨出し線等の基準線（目印）に沿って綺麗に仕上げることができる。そして、前記載置部は、その幅方向に伸縮性を有するスポンジ、ウレタンフォーム、合成樹脂、又は、ゴムであり、側方から圧縮すると前記シート部の厚さとほぼ同じは幅になるので、巻き回しが容易で、また、コテがコンクリートやモルタル等の床材を引いたときの砂を落とすための溝が所定間隔で形成されていることにより、コテを骨材粉に影響なく真っすぐに引くことが容易に可能になる。
【図面の簡単な説明】
【００１５】
【図１】本発明の第１の実施形態のコテ当て機能付き養生シートを巻きまわした状態を示す斜視図である。
【図２】上記実施形態のコテ当て機能付き養生シートを示す正面図である。
【図３】上記実施形態のコテ当て機能付き養生シートを示す図２のＡ部分拡大図である。
【図４】本発明の第１の実施形態のコテ当て機能付き養生シートのＡ拡大図である。
【図５】上記実施形態のコテ当て機能付き養生シートの拡大図である。
【図６】上記実施形態のコテ当て機能付き養生シートに対してコテを当てた状態示す斜視図である。
【図７】本発明の第３の実施形態のコテ当て機能付き養生シートの多孔質材で載置部を構成する実施形態を示す斜視図である。
【図８】本発明の第４の実施形態のコテ当て機能付き養生シートの載置部１０のその他の例１を示す模式図である。
【図９】上記第４の実施形態のコテ当て機能付き養生シートの正面図である。
【図１０】上記実施形態のコテ当て機能付き養生シートの側面図である。
【図１１】本発明の第４の実施形態のコテ当て機能付き養生シートを巻きまわした状態を示す斜視図である。
【図１２】本発明の第４の実施形態の他の例を側面図である。
【発明を実施するための形態】
【００１６】
以下、本発明を実施するための一形態について図面を引用しながら説明する。
【００１７】
（第１の実施の形態）
図１は、本発明の第１の実施形態のコテ当て機能付き養生シート１００を示す斜視図であり、図２は、上記実施形態のコテ当て機能付き養生シート１００を示す平面図である。図３は、上記実施形態のコテ当て機能付き養生シート１００を示す側面図である。
本実施の形態のコテ当て機能付き養生シート１００は、建築工事において床面を形成する際に汚れ防止のために壁面を被覆するための長尺状の部材であり、壁面に固定するための載置部１０と、壁面を被覆するためのシート部２０から構成され、重ね合わされてロール状に巻かれている。
シート部２０は、床材を流し込んで床面を仕上げる際に壁面が床材等により汚れることを防止するための薄膜状のシートであり、載置部１０の短手方向端部にシート部２０の一端が固定されている。
シート部２０は、薄く丈夫で透明性を有するポリエチレンフィルムや紙等種々のものを用いることができ、所定の厚さを有するものでも良い。墨出し線（基準線）Ｃの確認等のため、透明性を有する素材で形成されていれば、シート部２０を介して壁面を視認可能であるため、作業性が向上し好適に使用できる。
ここで、長手方向とはＸ軸方向を指し、本実施形態において長手方向は載置部の切断方向を指す。また短手方向とはＹ軸方向を指す（図２）。さらに本実施形態においては、Ｘ軸負方向側を左側、Ｘ軸正方向側を右側、Ｙ軸正方向側を上側、Ｙ軸負方向側を下側と記す。
【００１８】
シート部２０の下方の長手方向に沿って載置部１０が取り付けられている。この載置部１０は、コテ当て機能付き養生シート１００を壁面に固定するための長尺状の接着部材であり、テープ基部１１と、テープ基部１１の底面（壁面に固定される面）に設けられた粘着層１２とから構成される。短手方向の一端にはシート部２０が固定されている。
テープ基部１１は、樹脂等の透明で可撓性を有するシート材料で形成される。テープ基部１１は、載置部１０の形状を保つために適度な剛性を有し、かつロール状に巻くことができる程度の可撓性がある材質を適宜選択する（図１）。テープ基部１１は、シート部を下支えするとともに、載置部との連結と、剥離紙との連結を図る部材である。
また、テープ基部１１は透明性を有する材質で形成されていることが好ましい。テープ基部１１が透明性を有する材質で形成されていることで、載置部１０が一部壁面に残った状態であっても、載置部１０が目立つことなく壁面の美観性を保つことが可能であり、壁面に床面の天面を示す基準線Ｃが設けられている場合は、基準線Ｃが載置部１０を通して視認可能となる。
【００１９】
粘着層１２は、コテ当て機能付き養生シート１００を壁に固定するための粘着剤層であり、テープ基部１１の底面（壁面に固定される面）に設けられる。粘着層１２を構成する粘着剤の種類は特に限定されないが、載置部１０を介して壁面を視認することや床の天面から載置部１０が露呈した場合等を考慮して、透明性を有する材質で形成されていればよい。粘着層１２は、剥離シートを剥がすと粘着層が現れるものでも良い。
【００２０】
載置部１０の上面１０ａは、１．０ｍｍ〜５．０ｍｍで、従来製品よりも所定幅が厚く構成されており、この所定幅の上面１０ａを利用して、コテを当てる（コテの先端）を当てる。前記コテを載せるための幅Ｈは、１．０〜５．０ｍｍとしている（図６）。前記載置部１０の所定幅Ｈが短い（薄い）とすると、コテＫの先端部を載せることができず、他方、前記載置部１０の上面１０ａの所定幅Ｈが長い（厚い）とすると、テープを巻いた状態に製造・販売するときに支障が生じることから、上記１．０ｍｍ〜５．０ｍｍの範囲での設定が好ましい。
上記シート部２０とテープ基部１１は、同じ厚さ（幅）で構成することができる。この場合、同じ材質の合成樹脂製にしても良く、これによりロール状や筒状に末期回しやすくなる利点がある（図１、図１１）。
【００２１】
（第２の実施の形態）
図４（ａ）（ｂ）は、上記実施形態のコテ当て機能付き養生シート２００のＡ拡大図であり、図５は、上記実施形態のコテ当て機能付き養生シート２００の正面図である。図６は、コテＫを当てた状態を示す斜視図である。
図４（ａ）の例は、前記シート部材が取り付けられるテープ基部１１に、剥離紙と載置部が取り付けられており、第１の実施の形態との相違は、前記テープ基部１１を有するか否かの点である。また、図４（ａ）の例が図１と相違する点は、図４（ａ）の例では、テープ基部１１に剥離紙が取り付けられていることと、シート部２０が第１の実施の形態のフィルム状のシート部とは異なり、硬質の透明樹脂シートで構成されており、厚さが厚い点である。これにより、フィルム状シートを破って通過させる事態を防止する。なお、前記テープ基部と載置部１０との間にシート部２０を挟み込むようにしても良い。したがって、第２の実施形態２００を巻き回すと、筒状の巻物のようになり安定した姿勢を保つ（図１１）。
図４（ｂ）の例は、前記シート基部１１には、剥離紙１２がない例である。
なお、本実施の形態は、後述する第３と第４の実施の形態のように、シート部２０と載置部１０の間の隙間１０ｂが設けられていないものである。
【００２２】
載置部１０の長手方向に沿って所定間隔で砂落し溝１５，１５・・・が複数設けられている（図４、図５）。砂落し溝５，５・・・は、コンクリートやモルタル等の床材をコテを使って均すときに出る砂（骨材）を落とすためのものであり、コンクリートやモルタル等の床材をコテを使って均すときに、コテＫがコンクリートやモルタル等の床材を引いたときの砂を落とすことができるので、前記目印（墨出し線）に沿って綺麗に仕上げることができる利点があり、また、本発明のコテ当て機能付き養生シート１００を巻きまわした状態にすることも容易になる。ここで、Ｖ字状の溝１５の開口幅は、３ｍｍであり、砂落し溝５と溝５との間隔（載置部１０の長さ）は、１０ｍｍというように、定規としての役割も有している。
【００２３】
次に、コテ当て機能付き養生シート１００，２００の使用方法の説明を行う。
まず壁面に基準線Ｃを出す墨出し工程（Ｓ１）を行った後に、コテ当て機能付き養生シート１００，２００を基準線Ｃに沿って壁面に取り付ける取付工程（Ｓ２）を行う。取付工程（Ｓ２）においては、コテ当て機能付き養生シート１００の載置部１０を基準線Ｃに合わせて壁面に固定し、その後シート部２０を壁面に沿わせて壁面を被覆する。その後、床材流し込み工程（Ｓ３）を行い、天面ならし工程（Ｓ４）を行う。
その際に、コテＫで床材を均すと、墨出し線等の基準線Ｃに沿って、所定幅１０ａを有する載置部１０を貼り合わせてから、前記載置部１０の所定幅の上面１０ａにコテＫの先端Ｋａを載せる（図６）。このコテＫを載せた状態で載置部１０の上面１０ａに沿って引き出せば、前記載置部１０の所定幅（上面）１０ａにコテ先Ｋａを載せてコンクリートやモルタル等の床材をコテを使って真っすぐに引きだすことができ、基準線Ｃに沿って正確に床材を均すことができる。この場合、コテ先をシート部２０に対して強く当てる必要がなく、シート部２０を傷つけるようなこともない。
ここで、コンクリートやモルタル等の床材をコテを使って均す（引く出す）ときに、コテが床材を引いたとき出る骨材（砂）が多孔質の複数の略Ｖ字状の溝１５に落とされるので、載置部１０の所定幅（上面）１０ａに沿って真っすぐにコテＫを引くことができるので、綺麗に仕上げることができる。
次に、シート部２０を取り外す取り外し工程（Ｓ５）を行う。作業者は、載置部１０からシート部２０を切り離して分離する。載置部２０は、床材に埋設された状態で残される。
【００２４】
（第３の実施の形態）
図７（ａ）（ｂ）は、前記載置部１０に多孔質スポンジ等の多孔質材を使用した例である。
コテＫがコンクリートやモルタル等の床材を均したときに出る骨材粉が邪魔になるので、多孔質スポンジなどの多孔質体を載置部１０に使用して、骨材粉（砂）を落とすことにより、床材を引いたときに出る骨材（砂落ち）を落として、多孔質に封じ込めるものである。このような載置部１０の多孔質材としては、ポリビニルアルコールやポリウレタンのような機能性精密多孔質体（超吸収多孔質体）、穴あきスポンジ・多孔質スポンジ、穴あきウレタンフォーム等が好ましい。これらにより、前記載置部１０は、その幅方向に伸縮性を有することで、巻きまわしも容易になる（図１、図１１）。そして、載置部１０には、更に粘着剤や剥離紙１２を設けても良く（図７（ｂ））、上記多孔質材料１０と剥離紙との組み合わせで使用することができる。
【００２５】
（第４の実施の形態）
図８（ａ）（ｂ）は、第４の実施の形態コテ当て機能付き養生シート３００を示す斜視図であり、図９は、その正面図であり、図１０は、その斜視図である。図８（ｂ）では、剥離紙１２が所定の厚さを有しており、剥離紙１２が配されるテープ基部１１と載置部１０の間において挟むようにシート部２０が配されている。図８（ａ）は、剥離紙１２が前記シート部２０の厚さと同じ幅で構成されており、シート部２０の面と剥離紙の面が面一になっている。したがって、巻き回しが行いやすくなっている（図１１）。また、テープ基部１１は、載置部よりも硬質の樹脂製の部材としており、これにより、コテＫが当たっても、載置部が変形しても、養生シート全体には、変形し難くなるようにしている（図１１）。また、載置部１０の長手方向に沿ってＶ字状の砂落し溝１５，１５が設けられているが、該Ｖ字状の下方先端には、前記テープ基部１１が覗いており、Ｖ字状の溝１５の先端１５ａが折れたり切れ目が入ることを防止している。
また、本実施の形態としては、図１２（ａ）（ｂ）（ｃ）に示すように、シート部２０を載置部１０と剥離紙１２で直接挟み込むようにしても良い。すなわち、図１２（ａ）に示す例では、シート部２０を載置部１０側に剥離紙１２が配されるとともに、シート部２０を介して反対側にも剥離紙１２が配置されており、適宜必要な剥離紙１２を剥離して壁面に接着する。
図１２（ｂ）に示す例では、前記テープ基部１１が設けられずに、シート部２０を載置部１０と剥離紙１２で直接挟み込むようにしており、前記隙間１０ｂも形成されないようにして、強度を保っている。
図１２（ｃ）に示す例では、前記載置部１０が剥離紙１２で構成されている例であり、厚さの厚い剥離紙１２でも良いが、粘着部の幅が厚く、その外側に剥離紙１２が配されるものでも良い。
【００２６】
以上、上記各実施の形態の形態では、載置部１０（１２）が主に合成樹脂製や多孔質スポンジのもので説明したが、本発明の載置部１０（１２）は、ウレタンフォーム、やゴムであっても良いものである。
【符号の説明】
【００２７】
１０                      載置部、
１０ａ                    載置部の上面（コテ当て面）、
１０ｂ                    載置部のシート部との隙間、
１１                      テープ基部、
１２                      粘着層、
１５                      砂落し溝、
２０                      シート部、
１００，２００，３００    コテ当て機能付き養生シート、
Ｃ                        基準線（目印）、
Ｋ                        コテ、Ｋａ  コテの先端（コテ先）、
Ｈ                        載置部の幅
【図１】
2020133282.tif 000003
【図２】
2020133282.tif 000004
【図３】
2020133282.tif 000005
【図４】
2020133282.tif 000006
【図５】
2020133282.tif 000007
【図６】
2020133282.tif 000008
【図７】
2020133282.tif 000009
【図８】
2020133282.tif 000010
【図９】
2020133282.tif 000011
【図１０】
2020133282.tif 000012
【図１１】
2020133282.tif 000013
【図１２】
2020133282.tif 000014